(57)【要約】【課題】  画像読取信号の品質を高くする。点灯信号ノイズによる縦スジを目立たなくする。【解決手段】  蓄積時間周期のシフト信号ＳＨに応答して転送レジスタに受光信号を移送し転送レジスタをシリアル駆動することにより画素信号を出力するイメージセンサ２０７；照明光源２３２；シフト信号ＳＨの１周期内で点灯指示と消灯指示が交互に現れ、シフト信号ＳＨの１周器内で点灯指示と消灯指示の切換り周波数が変化する点灯制御信号ＴＧを発生する点灯タイミング制御手段２０５；および、照明光源２３２を点灯制御信号ＴＧに応答して点灯／消灯する光源駆動手段２０４；を備える。点灯タイミング制御手段２０５は、シフト信号の周期の所定数毎にシフト信号に対する点灯制御信号ＴＧの点灯／消灯指示の切換えタイミングをずらす、又は、シフト信号の周期の所定数毎に１周期上の点灯／消灯指示の切換り周波数の分布が変化する点灯制御信号ＴＧを発生する。【選択図】  図６
2005268920.tif 000002
【特許請求の範囲】
【請求項１】
蓄積時間周期のシフト信号に応答して受光部から転送レジスタに受光信号を移送しそして転送レジスタを転送クロックに同期してシリアル転送駆動することにより画素信号をシリアル出力するイメージセンサ；
該イメージセンサに、前記シフト信号および転送クロックを含む転送制御信号を与える信号タイミング制御手段；
前記イメージセンサが撮像する対象を照明する光源；
前記シフト信号の１周期内で点灯指示と消灯指示が交互に現れ、該シフト信号の１周期内で点灯指示と消灯指示の切換り周波数が変化する点灯制御信号を発生する点灯タイミング制御手段；および、
前記光源を前記点灯制御信号に応答して点灯／消灯する光源駆動手段；
を備える撮像装置。
【請求項２】
前記点灯タイミング制御手段は、前記シフト信号の周期の所定数毎に、該シフト信号に対する前記点灯制御信号の点灯指示と消灯指示の切換えタイミングをずらす、請求項１に記載の撮像装置。
【請求項３】
前記点灯タイミング制御手段は、前記シフト信号の１周期内で点灯指示と消灯指示が交互に現れ、該シフト信号の周期の所定数毎に、１周期上の、点灯指示と消灯指示の切換り周波数の分布が変化する点灯制御信号を発生する；請求項１に記載の撮像装置。
【請求項４】
前記シフト信号の各周期内での、点灯指示と消灯指示の交互切換りの回数は一定である、請求項１乃至３の何れか１つに記載の撮像装置。
【請求項５】
前記シフト信号の各周期内での、点灯指示の継続時間の総和は一定である、請求項１乃至４の何れか１つに記載の撮像装置。
【請求項６】
請求項１乃至５の何れか１つに記載の撮像装置；
画像データが表わす画像を用紙上に形成するプリンタ；および、
前記撮像装置が出力する画素信号を前記プリンタが適合する画像データに変換して該プリンタに出力する画情報処理手段；を備える画像形成装置。
【発明の詳細な説明】
【技術分野】
【０００１】
本発明は、蓄積時間周期のシフト信号に応答して受光部から転送レジスタに受光信号を移送しそして転送レジスタを転送クロックに同期してシリアル転送駆動することにより画素信号をシリアル出力するイメージセンサを用いる撮像装置および該撮像装置を用いる画像形成装置に関する。この撮像装置は、たとえばスキャナ，カメラ，複写機あるいはファクシミリに用いることができる。
【背景技術】
【０００２】
【特許文献１】特開平７−  ７４８９０号公報
【特許文献２】特開平７−１３５５５５号公報
【特許文献３】特開２００１−１１９５３３号公報。
【０００３】
特許文献１には、コンタクトガラス板２上の原稿１を蛍光灯４で照明し、原稿の反射光をイメージセンサであるＣＣＤラインセンサー９で画信号に変換する画像読取装置が記載されている。蛍光灯の光量をセンサ１２で検出して、光量検出値が目標値に合致するように、点灯／消灯比を、蓄積時間周期で変更する。原稿読取の間該点灯／消灯比での蛍光灯４の点灯制御が行われる。
【０００４】
特許文献２には、原稿搬送むらによる画質の劣化を少なくするために、露光時間内に光源を複数回点滅する画像読取装置が記載されている。読み取り信号のピーク値に応じて、ピーク値を設定値にするように、点滅のデューティが変更される。
【０００５】
特許文献３には、ＲＧＢ出力レベルの変動を軽減するために、ＣＣＤラインセンサーの１蓄積時間内に複数の点灯を行い、且つ、その蓄積時間毎に点灯位相を１８０°若しくは９０°づつ切り替える画像読み取り装置を記載している。
【０００６】
図１２に、イメージセンサの、１ライン読取の先頭部の入出力信号を示す。なお、横軸は時間軸である。ＣＣＤには、その受光部の光電変換信号を蓄積した画信号を転送レジスタに移送するためのシフト信号ＳＨ（ライン周期信号と等価）と、転送レジスタ内を電荷転送するための転送クロックΦ１，Φ２と、ＣＣＤ内の出力バッファをリセットするためのリセット信号ＲＳと、リセット直後の電気的な黒レベルをクランプするためのクランプゲート信号ＣＬＰ等の制御信号が与えられる。ＣＣＤの受光部は、シフト信号ＳＨから次のシフト信号ＳＨまでの期間、受光し続ける。この時間を蓄積時間という。転送クロックΦ１，Φ２は、この蓄積時間内にＣＣＤの１ライン上の全画素を転送できる周波数であり、ＣＣＤにおいてはこれに同期して画信号のシリアルシフトによる出力が行われる。しかし、シフト信号ＳＨがアクティブ期間中、すなわち受光部の光電変換信号を蓄積した画信号を転送レジスタに移送する間（図１２の信号ＳＨが高レベルＨの期間）は、画信号のシリアル転送は行われない。
【０００７】
シフト信号ＳＨの周期でＣＣＤから画信号Ｖｏ（その画素単位区分を画素信号という；特に断らない限り画素信号＝画信号）が出力されるが、出力開始の最初の部分（ライン先頭）の画信号には、空送り期間の画素信号，ＣＣＤの受光部の１ライン上の光電変換ピクセル列の先端部の完全に遮光されたピクセル（画素と同等）であるＯＰＢ（Optical Black：オプティカルブラック）の画素信号、および、ダミー信号と呼ばれる無効画素信号（有効画素以外の部分の信号）が有り、その後実際に原稿などを読み取った有効画素信号となる。
【発明の開示】
【発明が解決しようとする課題】
【０００８】
従来の原稿読取装置に使用される光源及び光源駆動装置おいては、イメージセンサのライン同期信号と同期させた点灯制御を行なう事で1ラインあたりのイメージセンサ露光量を一定とし、副走査ライン毎の色むらを防止していた。しかし、同期点灯方式ではイメージセンサのライン同期信号（たとえばシフト信号）に対し、ほぼ同じ画素ポイントで同期点灯をおこない、安定器のスイッチングも毎ラインごと主走査で同じポイントになる為、スイッチングノイズが安定器の電源，ＧＮＤ，信号ラインなどから電線を伝導し、また、放射ノイズとして空間を伝播し、イメージセンサのアナログ出力へ影響を及ぼし、副走査方向への縦スジ画像（異常画像）として、現れてくる。
【０００９】
図１３に示すように、点灯信号LMPCLKは通常であれば、ある一定の周波数をタイミング発生手段から光源駆動回路へ供給され、その周波数信号に基づきランプ発光のための印加電圧（電流）は発生しランプを点灯させる。点灯時ランプ電流波形を図１４に示す。この点灯時のＩLの急激な（マイナス方向）増加時にランプは点灯するが、このときにこのスイッチングノイズが信号線及び電源線、ＧＮＤからイメージセンサ周辺回路に伝播し、画像の主走査方向にスイッチングタイミングに合致した縦スジが等間隔に発生する。図１５に例としてＡ／Ｄ変換後のシェ−ディング補正前データにランプノイズが乗った場合の一例を示す。この後、白基準板から生成したシェ−ディングデータから、シェ−ディング補正されるが、中間調部ややや暗部（128〜40 digit）で数digitの筋は残る(図１５)。更に暗部の場合は、プリンタなどのトナーで現像された画像においては、つぶれて逆に見え難くなる傾向が有る。更に点灯信号LMPCLKは一定周波数であるので、縦スジは主走査方向で等間隔で見えるため認識されやすい。
【００１０】
本発明は、画像読取信号の品質を高くすることを目的とする。具体的には、点灯信号が画像読取信号に誘起するノイズによる再現画像上の縦スジを目立たなくすることを目的とする。
【課題を解決するための手段】
【００１１】
（１）蓄積時間周期のシフト信号(SH)に応答して受光部から転送レジスタに受光信号を移送しそして転送レジスタを転送クロック(Φ１,Φ２)に同期してシリアル転送駆動することにより画素信号をシリアル出力するイメージセンサ(207)；
該イメージセンサに、前記シフト信号(SH)および転送クロック(Φ１,Φ２)を含む転送制御信号を与える信号タイミング制御手段(213)；
前記イメージセンサが撮像する対象を照明する光源(232)；
前記シフト信号(SH)の１周期内で点灯指示と消灯指示が交互に現れ、該シフト信号(SH)の１周器内で点灯指示と消灯指示の切換り周波数が変化する点灯制御信号(TG)を発生する点灯タイミング制御手段(205)；および、
前記光源を前記点灯制御信号に応答して点灯／消灯する光源駆動手段(204)；
を備える撮像装置。
【００１２】
なお、理解を容易にするために、カッコ内には、図面に示し後述する実施例の対応要素の符号又は対応事項を、例示として参考までに付記した。以下も同様である。
【発明の効果】
【００１３】
蓄積時間1周期内で点灯指示と消灯指示の切換り周波数が変化するので、かりに上述のノイズによる縦スジが現れても、主走査方向には不等間隔であるので、該縦スジが目立ちにくくなる。
【発明を実施するための最良の形態】
【００１４】
（２）前記点灯タイミング制御手段(205)は、前記シフト信号(SH)の周期の所定数毎に、該シフト信号に対する前記点灯制御信号(TGの点灯指示と消灯指示の切換えタイミングをずらす、上記（１）に記載の撮像装置。これによれば、蓄積時間１周期内の点灯開始ポイントをずらすことで、主走査方向の決ったポイントでスイッチングノイズが画像信号に重畳することがなくなり、縦スジを生じない。
【００１５】
（３）前記点灯タイミング制御手段(205)は、前記シフト信号(SH)の１周期内で点灯指示と消灯指示が交互に現れ、該シフト信号(SH)の周期の所定数毎に、１周期上の、点灯指示と消灯指示の切換り周波数の分布が変化する点灯制御信号(TG)を発生する、上記（１）に記載の撮像装置。これによれば、シフト信号(SH)の周期の所定数毎に、前記シフト信号(SH)からの各点灯ポイントが変わり、主走査方向の決ったポイントでスイッチングノイズが画像信号に重畳することがなくなり、縦スジを生じない。
【００１６】
（４）前記シフト信号(SH)の各周期内での、点灯指示と消灯指示の交互切換りの回数は一定である、上記（１）乃至（３）の何れか１つに記載の撮像装置。これによれば、蓄積時間周期内において点灯回数が一定であるので、蓄積時間周期内の照明光量の安定化が容易である。
【００１７】
（５）前記シフト信号(SH)の各周期内での、点灯指示の継続時間の総和は一定である、上記（１）乃至（４）の何れか１つに記載の撮像装置。これによれば、蓄積時間周期内において点灯指示の継続時間の総和が一定であるので、蓄積時間周期内の照明光量が安定である。
【００１８】
（６）上記（１）乃至（５）の何れか１つに記載の撮像装置(210)；
画像データが表わす画像を用紙上に形成するプリンタ(PTR)；および、
前記撮像装置が出力する画素信号を前記プリンタが適合する画像データに変換して該プリンタに出力する画情報処理手段(ACP,CDIC,IPP)；を備える画像形成装置。これによれば、画像形成装置において上記（１）乃至（５）の何れかに記載の効果が同様に得られる。
【００１９】
（７）前記点灯タイミング制御手段(205)は、前記点灯指示と消灯指示の切換りタイミングを決定するためのクロックをカウントし分周パルスを発生する分周カウンタ(321)および該分周パルスをカウントして点灯指示と消灯指示の切換りタイミング信号を発生する手段(324〜327)を含むパターン発生手段(320)；及び、前記シフト信号(SH)の所定数の周期毎に、前記シフト信号(SH)の発生から、前記分周カウンタ(321)への前記クロックの供給を開始するまでの遅延時間を定め、かつ該遅延時間を前記シフト信号(SH)の所定数の周期毎に変更するシフト手段(310)；を備える、上記（２）に記載の撮像装置。
【００２０】
（８）前記点灯タイミング制御手段(205)は、１周期上の、点灯指示と消灯指示の各切換りのタイミングを表すデータ群を保持し、該データ群の各データを順次にカウント目標値として、該目標値分のクロックをカウントすると点灯制御信号の点灯指示／消灯指示の切換えをするプログラムカウント手段（３３０）；を備える、上記（１）乃至（３）の何れか１つに記載の撮像装置。
【００２１】
（９）前記点灯タイミング制御手段(205)は、１群が１周期上の点灯指示と消灯指示の各切換りのタイミングを表し、群間でデータが異なる、複数のデータ群（表１）を保持し、前記シフト信号(SH)の所定数の周期毎に利用するデータ群を変更して、該データ群の各データを順次にカウント目標値として、該目標値分のクロックをカウントすると点灯制御信号の点灯指示／消灯指示の切換えをするプログラムカウント手段（３３０）；を備える、上記（２），（３）又は（４）に記載の撮像装置。
【００２２】
本発明の他の目的および特徴は、図面を参照した以下の実施例の説明より明らかになろう。
【実施例１】
【００２３】
図１に、本発明の第１実施例の複合機能フルカラーデジタル複写機を示す。このフルカラー複写機は、大略で、自動原稿送り装置（ＡＤＦ）２３０と、操作ボード２２０と、カラースキャナ２１０と、カラープリンタＰＴＲおよびフィニッシャ１００の各ユニットで構成されている。なお、操作ボード２２０，ＡＤＦ２３０付きのカラースキャナ２１０およびフィニッシャ１００は、プリンタＰＴＲから分離可能なユニットであり、カラースキャナ２１０は、動力機器ドライバやセンサ入力およびコントローラを有する制御ボードを有して、プリンタＰＴＲの機内の制御ボードの画像データ処理装置ＡＣＰ（図４）と直接または間接に通信を行いタイミング制御されて原稿画像の読み取りを行う。
【００２４】
画像データ処理装置ＡＣＰ（図４）には、パソコンＰＣが接続したＬＡＮ(Local Area Network)が接続されており、ファクシミリコントロールユニットＦＣＵ（図４）には、電話回線ＰＮ（ファクシミリ通信回線）に接続された交換器ＰＢＸが接続されている。カラープリンタＰＴＲのプリント済の用紙は、フィニッシャ１００に排出される。
【００２５】
図２に、カラープリンタＰＴＲの機構を示す。この実施例のカラープリンタＰＴＲは、レーザプリンタである。１色のトナー像を形成する、感光体１５および現像器２７ならびに図示を省略したチャージャ，クリーニング装置および転写器の組体（作像ユニット）は、Ｂｋ（黒），Ｃ（シアン），Ｍ（マゼンタ）およびＹ（イエロー）のそれぞれの作像用に一組、合せて４組があり、搬送ベルト１６に沿ってタンデムに配列されており、それらによって形成された各色トナー像が順次に一枚の転写紙上に重ねて転写される。
【００２６】
第１トレイ８，第２トレイ９および第３トレイ１０に積載された転写紙は、各々第１給紙装置１１，第２給紙装置１２および第３給紙装置１３によって給紙され、縦搬送ユニット１４によって感光体１５に当接する位置まで搬送される。
【００２７】
スキャナ２１０にて読み込まれた画像データは、画像データ処理器ＩＰＰ（図４）で補正され、一旦メモリＭＥＭ（図４）に書き込まれてから、読み出され、読み出した画像データを用いる図２の書込ユニット６０からのレーザー露光によって、図示を省略したチャージャによって均一に荷電した感光体１５に書込まれこれにより静電潜像を形成する。この静電潜像が現像ユニット２７を通過することによって感光体１５上にトナー像が現れる。転写紙が感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００２８】
図２に示す、後処理装置のフィニシャ１００は、本体の排紙ユニット１８によって搬送された転写紙を、通常排紙ローラ１０３方向と、ステープル処理部方向へ導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５，１０７を経由して、ステープル台１０８に搬送する事ができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００２９】
一方、通常の排紙トレイ１０４は前後（図２紙面と垂直な方向）に移動可能な排紙トレイである。前後に移動可能な排紙トレイ部１０４は、原稿毎、あるいは、画像メモリによってソーティングされたコピー部毎に、前後に移動し、排出されてくるコピー紙を簡易的に仕分けるものである。
【００３０】
転写紙の両面に画像を作像する場合は、各給紙トレイ８〜１０から給紙され作像された転写紙を排紙トレイ１０４側に導かないで、経路切り替えの為の分岐爪１９を下向きに廻す事で、一旦反転ユニット１１２に導き、そして両面給紙ユニット１１１にストックする。
【００３１】
その後、両面給紙ユニット１１１にストックされた転写紙は再び、感光体１５に作像されたトナー画像を転写するために、両面給紙ユニット１１１から再給紙され、経路切り替えの為の分岐爪１９を図示水平に戻し、排紙トレイ１０４に導く。この様に転写紙の両面に画像を作成する場合に、反転ユニット１１２および両面給紙ユニット１１１が使用される。
【００３２】
感光体１５，搬送ベルト１６，定着ユニット１７，排紙ユニット１８および現像ユニット２７は、図示を省略したメインモータによって駆動され、各給紙装置１１〜１３はメインモータの駆動を、やはり図示を省略した各給紙クラッチによって伝達することにより駆動される。縦搬送ユニット１４は、メインモータの駆動を図示を省略した中間クラッチによって伝達することにより駆動される。
【００３３】
図３に、スキャナ２１０およびそれに装着されたＡＤＦ２３０の、原稿画像読み取り機構を示す。このスキャナ２１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには、第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。
【００３４】
スキャナ２１０には、自動原稿供給装置ＡＤＦ２３０が装着されている。ＡＤＦ２３０の原稿トレイ２４１に積載された原稿は、ピックアップローラ２４２およびレジストローラ対２４３で搬送ドラム（プラテン）２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００３５】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。搬送ドラム２４４の表面は、読み取りガラス２４０に対向する白色背板であり、白基準面となるように白色である。
【００３６】
また、原稿の裏面の画像は、光源および撮像素子を内蔵する撮像装置４０８で読取られ光電変換される。すなわちＲＧＢ各色画像信号に変換される。撮像装置４０８に対向する白色背板４０９があり、撮像装置４０８と白色背板４０９の間を原稿が通過する。
【００３７】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００３８】
図４に、図１に示す複写機の画像処理系統のシステム構成を示す。このシステムでは、読取ユニット２１１，センサボードユニットＳＢＵおよび画像データ出力Ｉ／Ｆ(Interface：インターフェイス)２１２でなるカラー原稿スキャナ２１０が、画像データ処理装置ＡＣＰの画像データインターフェース制御ＣＤＩＣ（以下単にＣＤＩＣと表記）に接続されている。画像データ処理装置ＡＣＰにはまた、カラープリンタＰＴＲが接続されている。カラープリンタＰＴＲは、画像データ処理装置ＡＣＰの画像データ処理器ＩＰＰ（Image Processing Processor；以下では単にＩＰＰと記述）から、書込みＩ／Ｆ１３４でＹＭＣＫ記録画像データを受けて、作像ユニット１３５でプリントアウトする。作像ユニット１３５は、図２に示すものである。
【００３９】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリＭＥＭ（メモリモジュール；以下では単にＭＥＭと記述），ハードディスク装置ＨＤＤ（以下では単にＨＤＤと記述），システムコントローラ３１ａ，ＲＡＭ３４，不揮発メモリ３５，フォントＲＯＭ３６，ＣＤＩＣ，ＩＰＰ等、を備える。パラレルバスＰｂには、ファクシミリ制御ユニットＦＣＵ（以下単にＦＣＵと記述）を接続している。操作ボード２２０はシステムコントローラ３１ａに接続している。
【００４０】
カラー原稿スキャナ２１０の、原稿を光学的に読み取る読取ユニット２１１のＣＣＤ２０７および撮像装置２０８の撮像素子のそれぞれが発生するＲＧＢ画像信号は、センサボードユニットＳＢＵ上で信号処理しかつＲＧＢ画像データに変換しかつシェーディング補正して、出力Ｉ／Ｆ２１２を介してＣＤＩＣに送出する。
【００４１】
ＣＤＩＣは、画像データに関し、出力Ｉ／Ｆ２１２，パラレルバスＰｂ，ＩＰＰ間のデータ転送，プロセスコントローラ１３１とＡＣＰの全体制御を司るシステムコントローラ３１ａとの間の通信をおこなう。また、ＲＡＭ１３２はプロセスコントローラ１３１のワークエリアとして使用され、不揮発メモリ１３３はプロセスコントローラ１３１の動作プログラム等を記憶している。
【００４２】
半導体メモリＭＥＭの他に、多くの画像データを収納するためにＨＤＤがある。ＨＤＤを用いる事により、外部電源が不要で永久的に画像を保持できる特徴もある。多くの原稿の画像をスキャナで読み込んでＨＤＤに保持し、また、ＰＣが与える多くのドキュメント画像を保持できる。
【００４３】
画像メモリアクセス制御ＩＭＡＣ（以下では単にＩＭＡＣと記述）は、ＭＥＭおよびＨＤＤに対する画像データ，制御データの書き込み／読み出しを制御する。システムコントローラ３１ａは、パラレルバスＰｂに接続される各構成部の動作を制御する。また、ＲＡＭ３４はシステムコントローラ３１ａのワークエリアとして使用され、不揮発メモリ３５はシステムコントローラ３１ａの動作プログラム等を記憶している。
【００４４】
操作ボード２２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００４５】
スキャナ２１０およびＡＤＦのＣＣＤ２０７および撮像装置２０８で読取ったＲＧＢ画像データは、ＩＰＰで、スキャナガンマ補正，フィルタ処理などの、読取り歪を補正する画像処理を施してから、ＭＥＭに蓄積する。ＭＥＭの画像データをプリントアウトするときには、ＩＰＰにおいてＲＧＢ信号をＹＭＣＫ信号に色変換し、所要時は変倍し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００４６】
ＩＭＡＣは、システムコントローラ３１ａの制御に基づいて、画像データとＭＥＭ，ＨＤＤのアクセス制御，ＬＡＮ上に接続したパソコンＰＣ（以下では単にＰＣと表記）のプリント用データの展開，ＭＥＭ，ＨＤＤの有効活用のための画像データの圧縮／伸張をおこなう。
【００４７】
ＩＭＡＣへ送られた画像データは、データ圧縮後、ＭＥＭ又はＨＤＤに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙（用紙）上に再生画像を形成する。
【００４８】
画像データの流れにおいて、パラレルバスＰｂおよびＣＤＩＣでのバス制御により、デジタル複合機の機能を実現する。ファクシミリ送信は、スキャナ２１０，ＡＤＦ２３０で読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００４９】
複数ジョブ、たとえば、コピー機能，ファクシミリ送受信機能，プリンタ出力機能が並行に動作する状況において、読取ユニット２１１，作像ユニット１３５およびパラレルバスＰｂの使用権のジョブへの割り振りは、システムコントローラ３１ａおよびプロセスコントローラ１３１において制御する。プロセスコントローラ１３１は画像データの流れを制御し、システムコントローラ３１ａはシステム全体を制御し、各リソースの起動を管理する。また、デジタル複合機の機能選択は、操作ボード２２０においておこなわれ、操作ボード２２０の選択入力によって、画像読取機能，画像データ登録機能，コピー機能，プリント機能，ファクシミリ機能等の処理内容を設定する。
【００５０】
システムコントローラ３１ａとプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ３１ａとプロセスコントローラ１３１間の通信を行う。
【００５１】
各種バスインターフェース、たとえばパラレルバスＩ／Ｆ  ３７、シリアルバスＩ／Ｆ  ３９、ローカルバスＩ／Ｆ  ３３ＡＡおよびネットワークＩ／Ｆ  ３８は、ＩＭＡＣに接続されている。システムコントローラ３１ａは、ＡＣＰ全体の中での独立性を保つために、複数種類のバス経由で関連ユニットと接続する。
【００５２】
システムコントローラ３１ａは、パラレルバスＰｂを介して他の機能ユニットの制御をおこなう。また、パラレルバスＰｂは画像データの転送に供される。システムコントローラ３１ａは、ＩＭＡＣに対して、画像データをＭＥＭ，ＨＤＤに蓄積させるための動作制御指令を発する。この動作制御指令は、ＩＭＡＣ，パラレルバスＩ／Ｆ  ３７、パラレルバスＰｂを経由して送られる。
【００５３】
この動作制御指令に応答して、画像データはＣＤＩＣからパラレルバスＰｂおよびパラレルバスＩ／Ｆ  ３７を介してＩＭＡＣに送られる。そして、画像データはＩＭＡＣの制御によりＭＥＭ又はＨＤＤに格納されることになる。
【００５４】
一方、ＡＣＰのシステムコントローラ３１ａは、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ  ３８を介してプリント出力要求データを受け取る。汎用的なシリアルバス接続の場合、ＩＭＡＣはシリアルバスＩ／Ｆ  ３９経由でプリント出力要求データを受け取る。汎用のシリアルバスＩ／Ｆ  ３９は複数種類の規格に対応している。
【００５５】
ＰＣからのプリント出力要求データはシステムコントローラ３１ａにより画像データに展開される。その展開先はＭＥＭ内のエリアである。展開に必要なフォントデータは、ローカルバスＩ／Ｆ  ３３ａおよびローカルバスＲｂ経由でフォントＲＯＭ３６ａを参照することにより得られる。ローカルバスＲｂは、このコントローラ３１ａを不揮発メモリ３５ａおよびＲＡＭ３４ａと接続する。
【００５６】
シリアルバスＳｂに関しては、ＰＣとの接続のための外部シリアルポート３２ａ以外に、ＡＣＰの操作部である操作ボード２２０との転送のためのインターフェースもある。これはプリント展開データではなく、ＩＭＡＣ経由でシステムコントローラ３１ａと通信し、処理手順の受け付け、システム状態の表示等をおこなう。システムコントローラ３１ａとＭＥＭ，ＨＤＤおよび各種バスとのデータ送受信は、ＩＭＡＣを経由しておこなわれる。ＭＥＭ，ＨＤＤを使用するジョブはＡＣＰ全体の中で一元管理される。
【００５７】
図５に、スキャナ１０およびＡＤＦ２３０の画像読み取りの電気系統の構成を示す。イメージセンサ２０７から出力される電気信号すなわち、Ｒ，Ｇ，Ｂ各色アナログ画像信号はそれぞれ、信号処理２０８で増幅され、Ａ／Ｄ変換２０９によってデジタル画像信号すなわち画像データに変換される。この画像データは、シェーディング補正２１４および変倍２１５の処理段を経て、画像データ処理器ＩＰＰに出力される。Ａ／Ｄ変換２０９では、ディジタル変換した画像データを、黒側のオフセット分となる部分を取り除いたもの（オプティカルブラックの画素信号のレベルを基準黒レベルとする画像データ）に変換する。
【００５８】
撮像装置４０８から出力されるＲ，Ｇ，Ｂ各色アナログ画像信号はそれぞれ、信号処理２０８ａで増幅され、Ａ／Ｄ変換２０９ａによって画像データに変換され、シェーディング補正２１４ａおよび変倍２１５ａの処理段を経て、画像データ処理器ＩＰＰに出力される。
【００５９】
スキャナ制御回路２０６は、システムコントローラ３１ａおよびプロセスコントローラ１３１からの指示に従って、点灯タイミング制御回路２０５，信号処理タイミング制御回路２１３及びモータ制御ユニット２６０を制御する。点灯タイミング制御回路２０５は、スキャナ制御回路２０６からの指示に従って露光ランプ２３２（２３２ａ，２３２ｂ）のオン／オフを制御する。なお、参照符号２３２ａ，２３２ｂを総括的に参照符号２３２で示すことがある。
【００６０】
モータ制御ユニット２６０は、スキャナ制御回路２０６からの指示に従って、副走査駆動モータ２３８及びＡＤＦモータ２２４を制御する。これらモータは、いずれもステッピングモータであり、駆動系統の軸にはロータリエンコーダ（Ｅ）２２１及び２２５が連結されている。第１キャリッジの走査位置（ｙ）および駆動量ならびにＡＤＦ送り原稿の先，後端位置および送り量は、各ロータリエンコーダ２２１，２２５が発生する電気パルスを計数して把握される。図５に示す紙センサ２２３は、ＡＤＦ３０の原稿トレイ２４１上に原稿があるかを検知するもの，ペーパジャム検知のもの及び原稿サイズ検知のものを含む。
【００６１】
信号処理タイミング制御回路２１３は、スキャナ制御回路２０６，システムコントローラ３１ａ及びプロセスコントローラ１３１からの指示あるいは制御信号に従って、各種信号を生成する。即ち、画像読み取りを開始すると、イメージセンサ２０７に対しては、シフト信号ＳＨ，転送クロックΦ１，Φ２，リセット信号ＲＳおよびクランプゲート信号ＣＬＰ等を含む制御信号を与え、システムコントローラ３１ａに対しては、画素同期パルスＣＬＫ，ライン同期信号ＬＳＹＮＣ及び主走査有効期間信号ＬＧＡＴＥを出力する。この画素同期パルスＣＬＫは、イメージセンサ２０７に与える転送クロックΦ１と略同一の信号である。また、ライン同期信号ＬＳＹＮＣは、プリンタ１００の作像ユニット１３５のビームセンサが出力するライン同期信号ＭＳＹＮＣと対応する信号であるが画像読み取りを行なっていない時は出力が禁止される。主走査有効期間信号ＬＧＡＴＥは、イメージセンサ２０７が出力する画信号が有効と見なせるタイミングで高レベルＨになる。
【００６２】
スキャナ制御回路２０６は、プロセスコントローラ１３１から読み取り開始指示を受けると、スイッチングレギュレータ２０３への制御信号Ｓｅを電源出力オンを指示するレベルに切換え、信号処理タイミング制御回路２１３（の制御信号発生）を制御してイメージセンサ２０７の読み取りを開始し、露光ランプ２３２を点灯し、副走査駆動モータ２３８（手差しモード）又はＡＤＦモータ（ＡＤＦモード）を駆動開始する。また、副走査有効期間信号ＦＧＡＴＥを高レベルＨ（原稿領域外）にセットする。この信号ＦＧＡＴＥは、手差しモードでは第１キャリッジが原稿始端位置（ホームポジションＨＰからａ＋ｂの位置）に達したときに、原稿領域内を示すＬに切り替えられ、ＡＤＦモードでは、レジストローラからの原稿（先端）の送り出し搬送量が、ＡＤＦ３０を使用するシートスルー画像読取りモードでの原稿読み取り位置であるＨＰ位置（「レジストローラ２４３から基点センサ２４９までの送り量Ｄｆ」−「ＨＰから基点センサ２４９までの送り量ａ」）に達したときに原稿領域内を示すＬに切り替えられる。そして、手差しモードでは原稿尾端を第１キャリッジが通過すると、ＡＤＦモードでは原稿尾端がＨＰを通過すると、副走査有効期間信号ＦＧＡＴＥは原稿領域外を示すＨに戻される。
【００６３】
読み取りユニット２１１の交流入力回路２０１には商用交流が印加され、直流電源回路２０２が商用交流を直流に変換する。スイッチングレギュレータ２０３が、直流電圧を昇圧直流に変換して定電圧に制御し、インバータを含む駆動回路２０４ａ，２０４ｂに放電灯電源として印加する。駆動回路２０４ａ，２０４ｂの各インバータが、点灯タイミング制御回路２０５が与える各点灯制御信号ＴＧ１，ＴＧ２に応答して、それが点灯指示である低レベルＬの間高電圧直流を高電圧交流に変換して各露光ランプ２３２ａ，２３２ｂに印加する。露光ランプ２３２ａ，２３２ｂは放電灯であり、該高電圧交流によって駆動されて発光し、原稿を照明する。各点灯制御信号ＴＧ１，ＴＧ２の高レベルＨは消灯指示であり、各点灯制御信号ＴＧ１，ＴＧ２が高レベルＨに切換わると駆動回路２０４ａ，２０４ｂの各インバータが、高電圧直流の高電圧交流への変換を停止し、すなわち露光ランプへの高電圧交流出力を停止し、これにより露光ランプ２３２ａ，２３２ｂが消灯する。
【００６４】
図６に、点灯タイミング制御回路２０５の概要を示す。この実施例では、１ラインの画素信号（画信号）出力期間毎に原稿を照明する露光ランプ２３２ａ，２３２ｂを切換えて、画像読取の間露光ランプ２３２ａと２３２ｂとをライン単位で交互に点灯駆動するようにしている。この交互駆動のために、振り分け回路３００が備わっており、点灯パターン発生器３２０が発生する点灯制御信号ＴＧをランプ駆動回路２０４ａと２０４ｂに交互に与える。たとえば奇数番目のシフト信号ＳＨの直後の蓄積時間（１ライン）の間はアンドゲート３０４をオンにしてランプ駆動回路２０４ａに点灯制御信号ＴＧを出力し、偶数番目のシフト信号ＳＨの直後の蓄積時間（１ライン）の間はアンドゲート３０５をオンにしてランプ駆動回路２０４ａに点灯制御信号ＴＧを出力する。
【００６５】
図７に、点灯タイミング制御回路２０５のパターンシフト回路３１０と点灯パターン発生器３２０の機能構成を示し、これらの回路の入出力信号を図８に示す。以下では、図８をも参照されたい。点灯パターン発生器３２０は、図８に示す点灯制御信号ＴＧを発生するものである。なお、点灯制御信号ＴＧの高レベルＨが点灯指示、点灯制御信号ＴＧの低レベルＬが消灯指示である。パターンシフト回路３１０は、シフト信号ＳＨに同期したランプ点灯のライン同期信号ＬＭＰＴＧに対する、点灯制御信号ＴＧの発生の遅れ（遅延時間）を制御するものである。
【００６６】
まずパターンシフト回路３１０の機能を説明すると、ランプ点灯のライン同期信号ＬＭＰＴＧ＝Ｈによってカウンタ３１１がクリアされ、ＬＭＰＴＧがＬに立下るとカウンタ３１１がＣＣＤの画信号のシリアル出力を画素単位に区切るための画素同期パルスＣＬＫ（転送クロックφ１に同期）のカウントアップを行う。デコーダ３１２がカウンタ３１１のカウントデータをデコードディングして、カウント値に応じて次のように、カウント値対応の出力端にＨを出力する。
【００６７】
カウント値          デコーダ３１２のＨを出力する出力端
０                                「０」
３２                              「３２」
６４                              「６４」
９６                              「９６」
１２８                            「１２８」
１６０                            「１６０」
１９２                            「１９２」
２２４                            「２２４」。
【００６８】
一方、画像読取フレーム信号（一枚の画像の読み取り期間の間Ｌ）ＦＬＧＴがＬの間、到来するＬＭＰＴＧをラインカウンタ３１４がカウントアップするが、このラインカウンタ３１４は、７までカウントアップすると次の８へのカウントアップではカウント値（カウントデータ）を０とする循環カウンタであり、ＬＭＰＴＧの１パルスごとにカウントアップしてカウントデータを、順次に０，１，２，３，４，５，６，７，０，・・・と繰返し表わすものに切り換えるものである。このカウントデータがマルチプレクサ３１３に、入力ポート指定データとして与えられる。マルチプレクサ３１３は、入力ポート指定データが指定する入力ポートの信号（２値信号）をアンドゲート３１５に出力する。
【００６９】
画像読取フレーム信号ＦＬＧＴがＬになってから最初の第１のＬＭＰＴＧが到来すると（第１照明ライン）、ラインカウンタ３１４のカウント値が１になり、カウンタ３１１が画素同期パルスＣＬＫを３２パルスカウントするとマルチプレクサ３１３の出力がＨになってアンドゲート３１５が画素同期パルスＣＬＫを出力してフリップフロップ３１６をセットするのでそのＱ出力がＬからＨに転じてアンドゲート３１７がオンして、画素同期パルスＣＬＫを点灯パターン発生器３２０に出力する。すなわち、第１照明ラインでは、ＬＭＰＴＧのＨからＬへの立下りから、画素同期パルスＣＬＫが３２個発生してから、画素同期パルスＣＬＫがパターンシフト回路３１０から点灯パターン発生器３２０に与えられるようになる。後述するように点灯パターン発生器３２０は、与えられる画素同期パルスＣＬＫを分周して分周周期単位で点灯指示（Ｈ）と消灯指示（Ｌ）が切り換わる点灯制御信号ＴＧ（図８）を発生するので、第１，９（１＋８），１７（９＋８），・・・の照明ラインでは、点灯制御信号ＴＧ（図８）は、ＬＭＰＴＧが到来してから、３２個のＣＬＫ周期の遅延の後に、点灯パターン発生器３２０から振り分け回路３００のアンドゲート３０４を通してランプ駆動回路２０４ａに与えられる（図８の（ａ））。
【００７０】
同様にして、第２，１０（２＋８），１８（１０＋８），・・・の照明ラインでは、点灯制御信号ＴＧは、ＬＭＰＴＧが到来してから、６４個のＣＬＫ周期の遅延の後に、点灯パターン発生器３２０から振り分け回路３００のアンドゲート３０５を通してランプ駆動回路２０４ｂに与えられる。第３，１１（３＋８），１９（１１＋８），・・・の照明ラインでは、点灯制御信号ＴＧは、ＬＭＰＴＧが到来してから、９６個のＣＬＫ周期の遅延の後に、点灯パターン発生器３２０から振り分け回路３００のアンドゲート３０４を通してランプ駆動回路２０４ａに与えられる。第４，１２（４＋８），２０（１２＋８），・・・の照明ラインでは、点灯制御信号ＴＧは、ＬＭＰＴＧが到来してから、１２８個のＣＬＫ周期の遅延の後に、点灯パターン発生器３２０から振り分け回路３００のアンドゲート３０５を通してランプ駆動回路２０４ｂに与えられる。第５，１３（５＋８），２１（１３＋８），・・・の照明ラインでは、点灯制御信号ＴＧは、ＬＭＰＴＧが到来してから、１６０個のＣＬＫ周期の遅延の後に、点灯パターン発生器３２０から振り分け回路３００のアンドゲート３０４を通してランプ駆動回路２０４ａに与えられる。第６，１４（６＋８），２２（１４＋８），・・・の照明ラインでは、点灯制御信号ＴＧは、ＬＭＰＴＧが到来してから、１９２個のＣＬＫ周期の遅延の後に、点灯パターン発生器３２０から振り分け回路３００のアンドゲート３０５を通してランプ駆動回路２０４ｂに与えられる。第７，１５（７＋８），２３（１５＋８），・・・の照明ラインでは、点灯制御信号ＴＧは、ＬＭＰＴＧが到来してから、２２４個のＣＬＫ周期の遅延の後に、点灯パターン発生器３２０から振り分け回路３００のアンドゲート３０４を通してランプ駆動回路２０４ａに与えられる（図８の（ｂ））。
【００７１】
同様にして、第８，１６（８＋８），２４（１６＋８），・・・の照明ラインでは、点灯制御信号ＴＧは、ＬＭＰＴＧが到来してから、０個のＣＬＫ周期の遅延の後に、点灯パターン発生器３２０から振り分け回路３００のアンドゲート３０５を通してランプ駆動回路２０４ｂに与えられる（図８の（ｃ））。
【００７２】
なお、パターンシフト回路３１０に、ＬＭＰＴＧを分周する（間引く）分周器を備えて、該分周器でＬＭＰＴＧを分周して（間引いて）ラインカウンタ３１４に与える態様もある。この場合には、上述の遅延時間（ＣＬＫの数）の切換えが、上述の１照明ライン毎ではなく、数ライン毎になる。すなわち連続数ラインでは上述の遅延時間が同一となる。
【００７３】
次に、点灯パターン発生器３２０を説明する。パターンシフト回路３１０のアンドゲート３１７から出力される画素同期パルスＣＬＫは、点灯パターン発生器３２０の分周カウンタ３２１がカウントする。そして１６０個のＣＬＫをカウントする毎にアンドゲート３２３がカウントオーバ信号Ｈを出力し、これがクリア信号としてオアゲート３２２を通してカウンタ３２１のクリア入力端に与えられるので、アンドゲート３２３が、ＣＬＫの周期の１６０倍の周期の分周パルスを発生し、カウンタ３２４に与える。カウンタ３２４のカウントデータをデコーダ３２５がデコーディングして、カウント値が１になるとフリップフロップ３２６ａをセットしてカウント値が２になるとフリップフロップ３２６ａをリセットする。このフリップフロップ３２６ａのＱ出力が、１照明ライン上の点灯制御信号ＴＧの第１パルスＰ１（図８）となる。同様なロジックで、１照明ライン上の点灯制御信号ＴＧの第２〜第６パルスＰ２〜Ｐ６（図８）が１照明ライン上の点灯制御信号ＴＧとしてオアゲート３２７から振り分け回路３００を介して、奇数番の照明ラインではランプ駆動回路２０４ａに、偶数番の照明ラインではランプ駆動回路２０４ｂに出力される。
【００７４】
どの照明ラインでも、点灯制御信号ＴＧは、周期（周波数）が異なる第１〜６パルスＰ１〜Ｐ６の連なりであるので、点灯制御信号ＴＧの消灯指示Ｌ／点灯指示Ｈの切換り周期が主走査方向で一定ではないので、仮に該切換り時のノイズが画信号に乗っても、副走査方向に現れる縦スジは目立たない。本実施例では更に、上述のように照明ライン毎に、ライン始点のＬＭＰＴＧ（ＳＨ）から第１パルスＰ１の始点までの遅延時間がパターンシフト回路３１０で切り換えられるので、隣り合う照明ライン間では点灯制御信号ＴＧの消灯指示Ｌ／点灯指示Ｈの切換り位置（タイミング）が主走査方向で異なるので、仮に該切換り時のノイズが画信号に乗っても、副走査方向に縦スジが現れることはない。ノイズが主走査方向に異なる周期で分散するので、ノイズ画像（ノイズドットの分布）は目立たない。
【実施例２】
【００７５】
第２実施例の概要は上述の第１実施例と同様であるが、点灯タイミング制御回路２０５のハードウエアと機能が異なる。
【００７６】
図９に、第２実施例の点灯タイミング制御回路２０５の構成を示す。第２実施例の点灯タイミング制御回路２０５の振り分け回路３００は第１実施例と同様であるが、第２実施例の点灯タイミング制御回路２０５では、パターンシフト回路３１０は省略され、また、点灯パルス発生器３３０は、ＣＰＵ３３１，ＲＯＭ３３２およびプリセットカウンタ３３３で構成したプログラムカウンタである。
【００７７】
ＲＯＭ３３２には次の表１に示す、ＴＧのＨ／Ｌ切り換えタイミングデータが書込まれている。
【００７８】
【表１】
2005268920.tif 000003
【００７９】
表１上の点灯パターンＮｏ．のそれぞれは、１照明ラインに割り付ける点灯制御信号ＴＧを規定するものであり、点灯パターンＮｏ．０が、上述の第１実施例の点灯制御信号ＴＧのパターン（Ｐ１＋Ｐ２＋Ｐ３＋Ｐ４＋Ｐ５＋Ｐ６）（図８の（ａ））を表すものである。点灯パターンＮｏ．毎に、点灯制御信号ＴＧの点灯指示Ｈ／消灯指示Ｌの切換り周波数分布（周期分布：パターン）が固有である。すなわち、点灯パターンＮｏ．が異なると、点灯制御信号ＴＧの点灯指示Ｈ／消灯指示Ｌの切換り周波数分布（切換りパターン）が異なる。
【００８０】
プリセットカウンタ３３３は、ＣＰＵ３３１がクリア入力端ＣＬＲに与えるクリア指示信号（パルス）が、クリア指示レベルＬから非指示レベルＨに立ち上がると、そのときＲＯＭ３３２が出力しているデータ（カウント目標値）をロードして、画素同期パルスＣＬＫのカウント（目標値からのカウントダウン）を開始し、目標値分をカウントするとキャリー信号を発生してこれをＣＰＵ３３１の外部割込み入力端ＩＮＴに出力する。
【００８１】
ＣＰＵ３３１の内部の不揮発メモリには、ＲＯＭ３３２のデータ（表１）を用いて点灯制御信号ＴＧを生成して振り分け回路３００に出力するプログラムが格納されている。
【００８２】
図１０に、該プログラムに基づいたＣＰＵ３３１の「点灯パルス発生」ＰＧＰの内容を示す。ここでは画像読取フレーム信号（一枚の画像の読み取り期間の間Ｌ）ＦＬＧＴが、Ｈから画像読み取り期間を意味するＬに切り換わるとＣＰＵ３３１は、照明ライン数カウント値ＲＬＮを０に初期化する（ステップ１，２）。
【００８３】
なお、以下では、カッコ内にはステップという語を省略してステップＮｏ．数字のみを記す。
【００８４】
次にＣＰＵ３３１は、ランプ点灯のライン同期信号ＬＭＰＴＧがＨからＬに立ち下がるのを待って（３）、Ｌになると、タイミング番号値ＲＴＮを０に初期化する（４）。そして点灯制御信号出力ポートＯtgをＬ（消灯指示）出力にして（５）、ＲＯＭ３３２に、照明ライン数カウント値ＲＬＮおよびタイミング番号値ＲＴＮに対応付けたアドレスデータを与えてデータ出力（読み出し）を指示し、そしてカウンタ３３３にクリア信号（クリアパルス）を与える（６）。カウンタ３３３は、クリアパルスのクリア指示レベル（Ｌ）から非指示レベルＨへの立ち上がり点で、ＲＯＭ３３２の読み出しデータ（目標値；ＲＬＮ＝０，ＲＴＮ＝０では、表１の、点灯パターンＮｏ．０，切り換えタイミング０のデータ１６０）を自身にロードして画素同期パルスＣＬＫのカウント（目標値からのカウントダウン）を開始する。そして外部割り込みを許可する（７）。この時点では、ＣＰＵ３３１の出力ＴＧ（Ｏtgの出力）はＬ（消灯指示）である（ステップ５でＬにしているため）。カウンタ３３３は、目標値分の画素同期パルスをカウントすると、キャリーパルスを発生し、これが割り込みパルスとしてＣＰＵ３３１の割り込み入力ポートＩＮＴに印加される。
【００８５】
外部割込みを許可したことにより、ＣＰＵ３３１は、割り込み入力ポートＩＮＴに割り込みパルスが加わると、図１１に示す割り込み処理ＩＮＰを実行する。すなわち、カウンタ３３３がキャリーパルスを発生するとこれに応答してＣＰＵ３３１が図１１に示す割り込み処理ＩＮＰに進み、まず、出力ＴＧ（Ｏtgの出力）のレベルを反転する（２１〜２３）。すなわち、Ｌ（消灯指示）を出力していたのであればＨ（点灯指示）に、逆に、Ｈ（点灯指示）を出力していたのであればＬ（消灯指示）に、出力ポートＯｔｇの出力信号レベル（ＴＧ）を切り換える。そしてタイミング番号値ＲＴＮを１インクレメントする（２４）。そしてＲＯＭ３３２に、照明ライン数カウント値ＲＬＮおよびタイミング番号値ＲＴＮに対応付けたアドレスデータを与えてデータ出力（読み出し）を指示し、そしてカウンタ３３３にクリアパルスを与える（２５）。そしてメインルーチン（図１０）に復帰する。カウンタ３３３は、クリアパルスのクリア指示レベル（Ｌ）から非指示レベルＨへの立ち上がり点で、ＲＯＭ３３２の読み出しデータ（目標値；ＲＬＮ＝０，ＲＴＮ＝１では、表１の、点灯パターンＮｏ．０，切り換えタイミング１のデータ１６０）を自身にロードして画素同期パルスＣＬＫのカウント（目標値からのカウントダウン）を開始する。
【００８６】
メインルーチン（図１０）ではＣＰＵ３３１は、画像読取フレーム信号ＦＬＧＴが、画像読み取り期間を意味するＬからＨ（読み取り終了）に切り換わったか、或いは、照明ラインの切換わりをあらわすライン同期信号ＬＭＰＴＧが発生した（ＬＭＰＴＧがＬからＨに立ち上がった）か、を監視する（８，９）。これらが発生するまでに、カウンタ３３３がロード値のカウントを終えてキャリーパルスを発生し、これに応答してＣＰＵ３３１が割り込み処理ＩＮＰを実行して（図１１）、出力ポートＯtgの出力信号レベル（ＴＧ）を切り換え、タイミング番号値ＲＴＮを１インクレメントして次のタイミング値をＲＯＭ３３２から読み出してカウンタ３３３にロードしてＣＬＫのカウントを再開する。このような処理をカウンタ３３３とＣＰＵ３３１が繰り返す。
【００８７】
そして、照明ライン数カウント値ＲＬＮが表す点灯パターンＮｏ．ＲＬＮの最後のタイミング１１のデータ（たとえばパターンＮｏ．０のタイミングＮｏ．１１の４８０）をロードしてその分のＣＬＫをカウンタがカウントしてキャリーパルスを発生し、これに応答してＣＰＵ３３１が割り込み処理ＩＮＰで、出力ポートＯtgの出力信号レベル（ＴＧ）をＬに切り換え、タイミング番号値ＲＴＮ＝１２のデータ（９６０）をＲＯＭ３３２から読み出してカウンタ３３３にロードしてＣＬＫのカウントを開始した後、カウンタ３３３が９６０個のＣＬＫをカウントしてキャリーパルスを発生する前に、照明ラインの切換わりをあらわすライン同期信号ＬＭＰＴＧが発生する（ＬＭＰＴＧがＬからＨに立ち上がる）。これは先行の照明ラインと次の照明ラインとの切換りを意味する。
【００８８】
ＣＰＵ３３１は、これに応答して、割り込みを禁止し（９，１０）、照明ライン数カウント値ＲＬＮを１インクレメントして（１１）、パターンＮｏ．が０〜１５しかないので照明ライン数カウント値ＲＬＮが１６になったときにはそれを０に初期化して（１３）、ステップ３に戻り、ライン同期信号ＬＭＰＴＧがＨからＬに立ち下がるのを待って（３）、次の照明ライン宛てに次のパターンＮｏ．のデータを用いる点灯制御信号ＴＧの生成を開始する（４以下）。
【００８９】
画像読取フレーム信号ＦＬＧＴが、画像読み取り期間の終了を意味するＨに切り換わるとＣＰＵ３３１は、割り込みを禁止して（１４）、出力ポートＯtgの出力をＬ（消灯指示）とし、「点灯パルス発生」ＰＧＰを終了する。
【００９０】
以上に説明した「点灯パルス発生」ＰＧＰにより、第２実施例によれば、第１照明ラインでは表１のパターンＮｏ．０の、タイミング０〜１１に示すデータが表わす数のＣＬＫの到来毎に、Ｌ（消灯指示）からＨ（点灯指示）に、そして次にはその逆にレベルが切り換わる点灯制御信号ＴＧがランプ駆動回路２０４ａに与えられる。第２照明ラインではパターンＮｏ．１のデータで規定される点灯制御信号ＴＧがランプ駆動回路２０４ｂに与えられる。各照明ライン（各パターンＮｏ．）でＴＧのＬ（消灯指示）／Ｈ（点灯指示）切換りタイミングが異なるので、仮に該切換り時のノイズが画信号に乗っても、副走査方向に縦スジが現れることはない。ノイズが主走査方向に異なる周期で分散するので、ノイズ画像（ノイズドットの分布）は目立たない。
【００９１】
第２実施例の点灯パターンの切換えを上述のように１ライン毎に行う場合、１ライン周期が短く（300μsec以下）、タイミング制御手段であるＣＰＵ３３１（ハードウエア、ソフトウエア）に処理負担がかかる場合には、数〜10ライン毎にパターンＮｏ．を切り換える。その態様の一例では、図１０のステップ２に、連続ライン数ＲＬＣＮを０に初期化する処理を加え、且つ、ステップ１０と１１の間に、連続ライン数ＲＬＣＮを１インクレメントするステップ１０ａ，インクレメント結果が設定ライン数ＰＬＣＮに達したかをチエックし達していないとステップ３に進むステップ１０ｂ、及び、達していると連続ライン数ＲＬＣＮを０に初期化してステップ１１に進むステップ１０ｃを加える。
【００９２】
これらのステップの加入を避ける態様では、ＣＰＵ３３１の外に分周カウンタおよびアドレスカウンタを備えて、分周カウンタでＬＭＰＴＧをカウントして（間引いて）分周パルスを生成し、分周パルスをアドレスカウンタ（カウント数が０〜１５の循環カウンタ）でカウントしてカウントデータをパターンＮｏ．指定アドレスとしてＲＯＭ３３２に与え、図１０の処理は、ステップ２および１１〜１３を省略したものとして、ＣＰＵ３３１はタイミングＮｏ．をカウントしてタイミングＮｏ．データをタイミングＮｏ．指定アドレスとしてＲＯＭ３３２に与えるものとする。
【００９３】
同一パターンを使用する連続ライン数ＰＬＣＮが、数ライン〜１０ライン程度であれば副走査６００ｄｐｉで読み込んだ場合、２５．４ｍｍ／６００＝０．０４２３ｍｍ程度であり、スキャナー特性や読取り画像出力手段（ディスプレイ，プリンタなど）によっては、数ライン〜１０ライン程度ならスジ画像としては目立たない可能性が高い。
【図面の簡単な説明】
【００９４】
【図１】本発明の第１実施例の画像形成装置であるフルカラー複合機能複写機の正面図である。
【図２】図１に示すフルカラープリンタＰＴＲの作像機構の概要を示す拡大縦断面図である。
【図３】図１に示すフルカラー原稿スキャナ２１０およびＡＤＦ２３０の原稿画像読取機構の概要を示す拡大縦断面図である。
【図４】図１に示すフルカラー複合機能複写機の画像処理システム構成を示すブロック図である。
【図５】図３に示すフルカラー原稿スキャナ２１０およびＡＤＦ２３０の原稿画像読取機構の制御および読取処理システム構成を示すブロック図である。
【図６】図５に示す点灯タイミング制御回路２０５の構成を示すブロック図である。
【図７】図６に示すパターンシフト回路３１０および点灯パターン発生回路３２０の構成を示すブロック図である。
【図８】図７に示すパターンシフト回路３１０および点灯パターン発生回路３２０の入出力信号の変化を示すタイムチャートである。
【図９】第２実施例で用いた点灯タイミング制御回路の構成を示すブロック図である。
【図１０】図９に示すＣＰＵ３３１が実行する「点灯パルス発生」ＰＧＰの内容を示すフローチャートである。
【図１１】図９に示すＣＰＵ３３１が実行する「割り込み処理」ＩＮＰの内容を示すフローチャートである。
【図１２】公知のＣＣＤの、１ライン出力の先頭部の入出力信号の変化を示すタイムチャートである。
【図１３】公知のＣＣＤの１ライン出力の全長での入出力信号の変化と、従来の点灯制御信号の１例（ＬＭＰＣＬＫ）を示すタイムチャートである。
【図１４】原稿照明ランプの通電電流波形を示すグラフである。
【図１５】原稿照明ランプを、図１３に示す点灯制御信号（ＬＭＰＣＬＫ）に従って点滅付勢した場合のＣＣＤの、主走査方向の読み取り信号レベル分布を示すグラフである。
【符号の説明】
【００９５】
８：第１トレイ
９：第２トレイ      １０：第３トレイ
１１：第１給紙装置  １２：第２給紙装置
１３：第３給紙装置  １４：縦搬送ユニット
１５：感光体        １６：搬送ベルト
１７：定着ユニット  １８：排紙ユニット
１９：分岐爪        ２６：搬送モータ
２７：現像器        １００：フィニシャ
１０１：切り替え板  １０３：排紙ローラ
１０４：排紙トレイ  １０５：搬送ローラ
１０６：ステープラ  １０７：搬送ローラ
１０８：ステープル台
１０９：ジョガー    １１０：排紙トレイ
１１１：両面給紙ユニット
１１２：反転ユニット
２０７：ＣＣＤ
２２１，２２５：ロータリエンコーダ
２２４：ステッピングモータ
２３１：原稿台ガラス    ２３２：照明ランプ
２３３：第１ミラー      ２３４：第２ミラー
２３５：第３ミラー      ２３６：レンズ
２０７：イメージセンサ  ２３８：ステッピングモータ
２３９：基準白板      ２４０：ガラス
２４１：原稿トレイ    ２４２：ピックアップローラ
２４３：レジストローラ対  ２４４：搬送ドラム
２４５：押さえローラ  ２４６，２４７：排紙ローラ
２４８：排紙トレイ兼用の圧板
２４９：基点センサ      ２５０：軸
２５１：スケール        ２６０：モータ制御ユニット
３１１，３２１：第１カウンタ
３１４，３２４：第２カウンタ
４０８：撮像装置        ４０９：白色背板
【図１】
2005268920.tif 000004
【図２】
2005268920.tif 000005
【図３】
2005268920.tif 000006
【図４】
2005268920.tif 000007
【図５】
2005268920.tif 000008
【図６】
2005268920.tif 000009
【図７】
2005268920.tif 000010
【図８】
2005268920.tif 000011
【図９】
2005268920.tif 000012
【図１０】
2005268920.tif 000013
【図１１】
2005268920.tif 000014
【図１２】
2005268920.tif 000015
【図１３】
2005268920.tif 000016
【図１４】
2005268920.tif 000017
【図１５】
2005268920.tif 000018